(57)【要約】【課題】部品点数増を招くことなく、スタンド支柱の取付けと、壁掛け用金具の取付けを行なうことのできる表示装置を提供する。【解決手段】表示パネル11を具える表示装置において、前記表示パネルの背面に設けられ、据置き用のスタンド支柱62を挿入可能な挿入孔41と、壁掛け用金具を取り付け可能な第１取付孔43を有する第１フレーム40を具える。【選択図】図３
2013117623.tif 000002
【特許請求の範囲】
【請求項１】
表示パネルを具える表示装置において、
前記表示パネルの背面に設けられ、据置き用のスタンド支柱を挿入可能な挿入孔と、壁掛け用金具を取り付け可能な第１取付孔を有する第１フレームを具えることを特徴とする表示装置。
【請求項２】
前記第１フレームは、前記表示パネルの背面の下端近傍に設けられる請求項１に記載の表示装置。
【請求項３】
前記表示パネルの背面の上端近傍に壁掛け用金具を取り付け可能な第２取付孔を有する第２フレームを具える請求項１又は請求項２に記載の表示装置。
【請求項４】
前記第１フレーム及び第２フレームは、表示パネルの背面に左右一対ずつ設けられており、前記第１取付孔と第２取付孔は、表示パネルの背面と略平行な平面上で仮想長方形の頂点をなすよう配置される請求項３に記載の表示装置。
【請求項５】
前記第１フレームには、前記挿入孔に挿入された前記スタンド支柱を固定する抜止め部材の挿通するガイド孔が、前記挿入孔に連通するよう貫通開設されている請求項１乃至請求項４の何れかに記載の表示装置。
【発明の詳細な説明】
【技術分野】
【０００１】
本発明は、据置き及び壁掛け可能な表示装置に関する。
【背景技術】
【０００２】
液晶テレビ等の薄型の表示パネルを用いた表示装置は、薄型化が図られており、従来のブラウン管を用いた表示装置に比して、装置全体が薄型化すると共に、軽量化が進められている。薄型化が図られたことで、表示装置自体を載せ台や床面上で自立させるには別途スタンドを取り付ける必要がある。また、薄型化及び軽量化が図られたことで、表示装置に壁掛け用金具を取り付けて壁掛けすることもできる(例えば特許文献１)。
【先行技術文献】
【特許文献】
【０００３】
【特許文献１】特開２００６−５３５２９号公報
【発明の概要】
【発明が解決しようとする課題】
【０００４】
特許文献１の表示装置は、スタンドの支柱を取り付けるフレームの他、壁掛け用金具を取り付けるための金属製の背面カバーを別途必要としている。従って、部品点数増と重量化に繋がる。
【０００５】
本発明の目的は、部品点数増を招くことなく、スタンド支柱の取付けと、壁掛け用金具の取付けを行なうことのできる表示装置を提供することである。
【課題を解決するための手段】
【０００６】
本発明に係る表示装置は、
表示パネルを具える表示装置において、
前記表示パネルの背面に設けられ、据置き用のスタンド支柱を挿入可能な挿入孔と、壁掛け用金具を取り付け可能な第１取付孔を有する第１フレームを具える。
【発明の効果】
【０００７】
本発明の表示装置によれば、第１フレームは、スタンド支柱と壁掛け用金具の取付部材を兼ねているから、部品点数増や重量増を招くことなく、スタンド支柱の取付けと、壁掛け用金具の取付けを行なうことができる。
【図面の簡単な説明】
【０００８】
【図１】図１は、本発明の一実施形態である表示装置を斜め前方から見た斜視図である。
【図２】図２は、本発明の一実施形態である表示装置を背面側から見た斜視図であって、スタンド組み付け前の斜視図である。
【図３】図３は、カバーを取り外した表示装置の左側面図である。
【図４】図４は、前カバー及びカバーを取り外した表示装置の背面図である。
【図５】図５は、前カバー及びカバーを取り外した表示装置の底面図である。
【図６】図６は、第１フレームの斜視図である。
【図７】図７は、第１フレームの他の実施例を示す斜視図である。
【発明を実施するための形態】
【０００９】
以下、本発明の表示装置(10)として、デジタル液晶テレビを例示して説明を行なう。
【００１０】
図１に示す表示装置(10)は、映像や画像等を表示可能な液晶パネルである表示パネル(11)を長手方向が水平となるように横置きに配置したものである。
表示装置(10)は、前面側に枠窓(21)の開設された前カバー(22)により表示パネル(11)を前方から視認可能となるように覆っており、背面側を前カバー(22)に連続するカバー(24)(図２及び図３参照)で覆っている。前カバー(22)及びカバー(24)は樹脂製とすることができる。
【００１１】
図１及び図２に示すように、表示装置(10)は、横置き姿勢で下端にスタンド(60)を装着し、載せ台や床面上で自立可能となっている。
また、カバー(24)の背面側から壁掛け用金具を取り付けて、壁面等に壁掛け可能となっている。
【００１２】
図３に示すように、表示パネル(11)は、その背面に金属製の取付プレート(30)がネジ止め等により取り付けられており、該取付プレート(30)に各種の電子部品が実装されると共に、スタンド用及び壁掛け用の第１フレーム(40)と、壁掛け用の第２フレーム(50)が装着されている。
【００１３】
取付プレート(30)に実装される電子部品として、図３乃至図５に示す如く、表示装置(10)の各種制御等を行なうメイン基板(70)(71)、拡張ボード(73)(図２参照)を挿入可能な拡張スロットユニット(72)、各メイン基板(70)(71)に対する外部入出力用の端子群(74)、電源用基板(75)、該電源用基板(75)に外部より商用電源(76a)(図２参照)を接続する電源接続用端子(76)、表示パネル(11)の光源となるバックライト(図示せず)用の左右一対のインバータ回路基板(77)(77)及び左右一対のスピーカ(78)(78)を例示できる。
【００１４】
拡張スロットユニット(72)にＰＣボードやＬＡＮボードなどの拡張ボード(73)を挿入することで、表示装置単体でパソコンのコンテンツを使用、マルチディスプレイシステムの実施、ネットワークに接続して各種情報のダウンロードやストリーミングなどを行なうことができ、表示装置(10)の機能の拡張、多様化、性能の向上等を図ることができる。
【００１５】
第１フレーム(40)は、図６に示すように１又は複数の金属板を屈曲、接合したり、アルミニウムの押出成型などにより形成することができ、図３乃至図５に示すように取付プレート(30)の下端近傍に設けられる。
【００１６】
表示装置(10)を自立させるために第１フレーム(40)に取り付けられるスタンド(60)は、図２に示すように、基台(61)と該基台(61)から２本のスタンド支柱(62)(62)を立設して構成できる。なお、各スタンド支柱(62)に夫々基台(61)を設ける構成としてもよい。
スタンド支柱(62)には、第１フレーム(40)にスタンド(60)を固定するための抜止め部材となる固定ネジ(64)が螺入されるネジ穴(63)(63)が設けられている。
【００１７】
第１フレーム(40)は、図４及び図５に示す如く、取付プレート(30)の下端に間隔を存して配置されており、図５及び図６に示す如く、第１フレーム(40)の内部には、下向きに開口し、スタンド支柱(62)を固定する挿入孔(41)が形成されている。
図示の実施例では、第１フレーム(40)(40)は、取付プレート(30)の中央に設けられた前述の端子群(74)と、その両側に設けられたスピーカ(78)(78)との間に夫々配置している。
【００１８】
第１フレーム(40)は、スタンド支柱(62)を挿入孔(41)から挿入したときに、スタンド支柱(62)のネジ穴(63)(63)に対向する位置に抜止め部材となる固定ネジ(64)が挿通する筒状のガイド孔(42)(42)を有している。
【００１９】
また、第１フレーム(40)には、図４及び図６に示すように、壁掛け用金具を取り付けるための第１取付孔(43)が開設されている。第１取付孔(43)には、壁掛け用金具をネジ止めするためのタップ加工を施している。
【００２０】
より具体的には、図６に示すように、第１フレーム(40)は、断面矩形の挿入孔(41)を構成するよう金属板を屈曲して形成された内ホルダ部材(44)と、該内ホルダ部材(44)の外周を覆うように金属板を屈曲して形成された外ホルダ部材(45)から構成することができる。
【００２１】
前記ガイド孔(42)(42)は、内ホルダ部材(44)に形成され、図示のように、内ホルダ部材(44)から突設された筒状のボスを有する。
【００２２】
前記第１取付孔(43)は、外ホルダ部材(45)から背面側にタップ加工されたボスが突設するよう形成することができる。第１取付孔(43)のボスは、後述するカバー(24)の貫通孔(28)を貫通し、先端がカバー(24)の背面と略同一平面となる程度とすることが望ましい。これにより、後述する壁掛け用金具をネジ止めしたときに、ネジが直接ボスに当たり、カバー(24)に直接締付力が作用することを防止できる。
【００２３】
また、外ホルダ部材(45)には、スタンド支柱(62)の固定ネジ(64)を挿通可能な大径の貫通孔(46)(46)がガイド孔(42)(42)と対向する位置に開設されており、固定ネジ(64)をガイド孔(42)(42)に締め付け可能となっている。
【００２４】
上記第１フレーム(40)は、外ホルダ部材(45)を取付プレート(30)にネジ止め(47)(47)することで取り付けることができる。
【００２５】
また、図４に示す如く、取付プレート(30)の上端側には、第２フレーム(50)(50)を具える。第２フレーム(50)(50)は、図示のように第１フレーム(40)(40)と対向する位置に設けることができる。
第２フレーム(50)も金属板を折り曲げたり、押出成型等により形成することができ、夫々壁掛け用金具をネジ等で固定する第２取付孔(51)を有する。第２取付孔(51)も第１取付孔(43)と同様にタップ加工を施したボスを突設して形成することができる。第２取付孔(51)のボスの先端もカバー(24)の貫通孔(29)を貫通し、カバー(24)の背面と略同一平面となる程度まで延びるようにすることで、壁掛け用金具をネジ止めしたときに、カバー(24)に直接締付力が作用することを防止できる。
【００２６】
表示パネル(11)の背面を覆うカバー(24)には、前記挿入孔(41)と対向する位置に開口が形成されており、また、第１フレーム(40)のガイド孔(42)と第１取付孔(43)、及び、第２フレーム(50)の第２取付孔(51)と対向する位置に夫々貫通孔(27)(28)(29)が開設されている。
また、カバー(24)には、前記拡張スロットユニット(72)に拡張ボード(73)が挿入可能となるように、スリット(25)及び凹部(26)が形成されている。
【００２７】
然して、表示装置(10)は、上述した表示パネル(11)を、図１乃至図３に示すように前カバー(22)及びカバー(24)で覆うことで構成される。
【００２８】
表示装置(10)は、スタンド(60)を取り付けることで自立させることができ、また、壁掛け用金具を取り付けることで、壁掛けすることができる。
【００２９】
より具体的には、表示装置(10)にスタンド(60)を取り付けるには、まずスタンド支柱(62)を表示装置(10)の下側から第１フレーム(40)の挿入孔(41)に挿入する。次に、カバー(24)の貫通孔(27)(27)から固定ネジ(64)(64)を挿入し、固定ネジ(64)(64)の頭部が第１フレーム(40)のガイド孔(42)(42)に当たるまでスタンド支柱(62)のネジ穴(63)に螺合させる。これにより、スタンド(60)を表示装置(10)へ脱落不能に固定することができる。
スタンド(60)を表示装置(10)に取り付けることで、基台(61)によって表示装置(10)を載せ台や床面に横置き姿勢で安定して据え置くことができる。
【００３０】
また、表示装置(10)を壁掛けするには、図示省略する壁掛け用金具を第１フレーム(40)の第１取付孔(43)及び第２フレーム(50)の第２取付孔(51)(51)にネジ止めする。そして、壁掛け用金具を壁面等に取り付けることで、表示装置(10)を壁掛けすることができる。
【００３１】
なお、第１取付孔(43)及び第２取付孔(51)のボスの先端をカバー(24)の背面まで突出させることで、壁掛け用金具をネジ止めしたときに、ネジの頭部が取付孔(43)(51)のボスに当たり、その締付力がカバー(24)に直接作用しない。従って、カバー(24)として樹脂製のものを採用することができ、表示装置(10)の軽量化を図ることができる。
【００３２】
上記のように、本発明によれば、第１フレーム(40)は、据置き用及び壁掛け用のフレームを兼ねているから、部品点数増を抑えて、表示装置(10)の軽量化を達成できる。
【００３３】
また、第１フレーム(40)の取付スペースは、図４及び図５に示すように、電子部品(70)(71)(72)等の配置されない領域を有効に活用することとなるから、表示装置(10)の大型化を防ぐことができる。
【００３４】
さらに、第１フレーム(40)及び第２フレーム(50)は、取付プレート(80)に直接取り付けられており、夫々が十分な強度を有する構成とできるから、表示装置(10)を据置き又は壁掛けするための別部材の取付けを省略できる利点がある。
【００３５】
なお、望ましくは、第１フレーム(40)(40)の第１取付孔(43)(43)、第２フレーム(50)(50)の第２取付孔(51)(51)は、図４に示すように、表示パネル、図示では取付プレート(30)の背面と略平行な平面上で仮想長方形の頂点をなすように配置する。これにより、杆状、Ｈ状等の壁掛け用金具にも対応できる利点がある。
また、第１取付孔(43)(43)及び第２取付孔(51)(51)を仮想正方形の頂点となるように配置することで、表示装置(10)を横向き、縦向きの何れでも共通の壁掛け用金具を用いて取り付けることができる。
【００３６】
図７は、第１フレーム(40)の異なる実施例を示している。
図に示すように、第１フレーム(40)は、脚の長いコ字状の外ホルダ部材(48)と、その内側に配備された脚の短いコ字状の内ホルダ部材(49)を接合して構成している。前記スタンド支柱(62)の挿入孔(41)は、両ホルダ部材(48)(49)間に形成される。
【００３７】
外ホルダ部材(48)の脚は、夫々外向きに屈曲して夫々取付プレート(30)への取付用のブラケット(48a)をなし、ネジ止め(47)により取付プレート(30)に取り付けることができる。
【００３８】
また、外ホルダ部材(48)は、スタンド支柱(62)のネジ穴(63)(63)に対向する位置に抜止め部材である固定ネジ(64)を挿通し、固定ネジ(64)の頭部を受ける筒状のガイド孔(42)(42)が形成されている。
【００３９】
外ホルダ部材(48)には、さらに、壁掛け用金具を取り付ける第１取付孔(43)が開設されている。第１取付孔(43)は、ガイド孔(42)(42)よりも突出するよう形成しており、壁掛け用金具をネジ止めするためにタップ加工が施されている。
【００４０】
上記第１フレーム(40)を用いた表示装置(10)についても、スタンド(60)は、スタンド支柱(62)(62)を表示装置(10)の下側から第１フレーム(40)の挿入孔(41)(41)に夫々挿入し、カバー(24)の貫通孔(27)(27)から抜止め部材となる固定ネジ(64)(64)を挿入して、スタンド支柱(62)のネジ穴(63)に螺合させることで、脱落不能に固定することができる。
【００４１】
また、壁掛け用金具を第１フレーム(40)の第１取付孔(43)及び第２フレーム(50)の第２取付孔(51)(51)にネジ止めし、該壁掛け用金具を壁面等に取り付けることで、表示装置(10)を壁掛けすることができる。
【００４２】
尚、本発明の各部構成は上記実施の形態に限らず、特許請求の範囲に記載の技術的範囲内で種々の変形が可能である。
例えば、第1フレーム(40)や第２フレーム(50)、スタンド(60)の形状や構成、設置位置は上記に限定されるものではない。本実施例では、第１フレーム(40)と第２フレーム(50)とを別部材で形成しているが、第１フレーム(40)を縦長に延長し、第２フレーム(50)を兼ねる構成とすることもできる。また、第１フレーム(40)と第２フレーム(50)は左右一対の構成としているが、これらの何れか一方又は両方を取付プレート(30)の中央に設けることもできる。
【００４３】
加えて、表示装置(10)に搭載される表示パネル(11)は液晶パネルに限定されず、プラズマディスプレイ等にも適用できる。
同様に、取付プレート(30)に実装される電子部品も上記に限定されるものではない。
【産業上の利用可能性】
【００４４】
本発明は、部品点数増を招くことなく、スタンド支柱の取付けと、壁掛け用金具の取付けを行なうことのできる表示装置として有用である。
【符号の説明】
【００４５】
(10)  表示装置
(11)  表示パネル
(30)  取付プレート
(40)  第１フレーム
(41)  挿入孔
(43)  第１取付孔
(50)  第２フレーム
(51)  第２取付孔
(60)  スタンド
(62)  スタンド支柱
【図１】
2013117623.tif 000003
【図２】
2013117623.tif 000004
【図３】
2013117623.tif 000005
【図４】
2013117623.tif 000006
【図５】
2013117623.tif 000007
【図６】
2013117623.tif 000008
【図７】
2013117623.tif 000009